(57)【特許請求の範囲】
【請求項１】
間隔を空けて対向する一対の壁部を有し、上面を開口した収容体内に配備する書類保存箱用の書類支承具であって、
柔軟性を有するネット状又はシート状の支承体と、前記収容体の下部領域の両壁部に沿うように配置される支持部材とを備え、支承体の中間部が垂れ下がるように支持部材が支承体の両端部を支持していることを特徴とする書類保存箱用の書類支承具。
【請求項２】
前記支承体の一方の端部が他方の端部よりも低い位置で支持されていることを特徴とする請求項１に記載の書類保存箱用の書類支承具。
【請求項３】
前記支承体の一方の端部と他方の端部とが同じ高さで支持されていることを特徴とする請求項１に記載の書類保存箱用の書類支承具。
【請求項４】
前記支承体は、前記収容体の壁部と平行になる方向の複数本の横筋と、壁部に交差する方向の複数本の縦筋とによってネット状に形成されていることを特徴とする請求項１ないし３のいずれか一項に記載の書類保存箱用の書類支承具。
【請求項５】
前記支承体は、伸縮性と滑止め性の少なくとも一方をさらに有していることを特徴とする請求項１ないし４のいずれか一項に記載の書類保存箱用の書類支承具。
【請求項６】
前記支持部材は、前記収容体の下部領域に配備可能に、上面を開口した容器状又は枠状に形成されていることを特徴とする請求項１ないし５のいずれか一項に記載の書類保存箱用の書類支承具。
【請求項７】
請求項１ないし６のいずれか一項に記載の書類保存箱用の書類支承具が前記収容体内の下部領域に配備されていることを特徴とする書類保存箱。
【請求項８】
請求項１ないし６のいずれか一項に記載の書類保存箱用の書類支承具に備えられた支承体が前記収容体内の下部領域に配備され、支承体の両端部が収容体の両壁部に固定され、該両壁部が前記支持部材を兼用していることを特徴とする書類保存箱。
【発明の詳細な説明】
【技術分野】
【０００１】
本発明は、書類や書類ホルダなど（以下、主として「書類ホルダ」として説明する。）を自立した姿勢で収納する書類保存箱、及び、書類保存箱内に配備され、収納された書類ホルダの下縁を支承する書類保存箱用の書類支承具に関する。
【背景技術】
【０００２】
書類保存箱は、書類を挟んだ書類ホルダを自立した姿勢で収納するため、上面を開口した容器状とされている。書類ホルダは、柔軟性を有していることから、書類保存箱内に少ない冊数で収納されると、下部がカールしてしまい、書類保存箱内に沈んで取り出しにくくなったり、偏在して書類保存箱が倒れたりすることがある。
【０００３】
このような不具合を解消するための書類保存箱ないしファイルボックスなどが種々提案されている。例えば、特許文献１に記載されたファイルボックス用支持装置は、図５に示すように、ファイルボックス１００の底面部１０１に敷設された固定板１１０と、ファイルボックス１００内で起立扇動する支持板１２０とを備えている。
【０００４】
固定板１１０の上面中央位置には、マグネットシートなどの定着手段１１２が設けられている。また、支持板１２０の下部には、折曲した折片１２１が連設されている。折片１２１は、ファイルボックス１００の短手方向に可変可能な細幅とされている。また、折片１２１には、マグネットシートなどの定着手段１２２が設けられている。
【０００５】
そして、支持板１２０とファイルボックス１００の正面部１０２との間隔が狭く、背面部１０３との間隔が広くなるように、支持板１２０の折片１２１が固定板１１０に重ね合わされる。折片１２１に設けられた定着手段（マグネットシート）１２２と固定板１１０に設けられた定着手段（マグネットシート）１１２とが磁気吸着されることで、支持板１２０がファイルボックス１００内で起立する。
【０００６】
そして、支持板１２０とファイルボックス１００の正面部１０２との間に書類（図示せず）などが挟まれると、支持板１２０に書類の荷重が作用し、支持板１２０はファイルボックス１００の背面部１０３の方に傾き、書類を傾いた状態で支持する。このファイルボックス用支持装置は、支持板１２０の折片１２１が細幅とされ、ファイルボックス１００の短手方向に移動できるため、書類の枚数に応じて、支持板１２０とファイルボックス１００の正面部１０２との間隔を調整することができるものとなっている。
【先行技術文献】
【特許文献】
【０００７】
【特許文献１】特開平９−１７５０７１号公報
【発明の概要】
【発明が解決しようとする課題】
【０００８】
特許文献１に記載されたファイルボックス用支持装置は、支持板１２０上に書類を重ねるようにして書類を収納する。したがって、書類を重ねた状態の支持板１２０の重心は、ファイルボックス１００の高さ方向のほぼ中央にある。そうすると、多数枚の書類を収納したファイルボックス１００は、不安定に起立した状態となり、倒れやすくなっている。
【０００９】
そこで、本発明は、書類ホルダなどを自立した姿勢で収納したときに、倒れにくいようにした書類保存箱、及び、書類保存箱内に配備され、書類ホルダなどの下縁を支承する書類保存箱用の書類支承具を提供することを課題とする。
【課題を解決するための手段】
【００１０】
本発明に係る書類保存箱用の書類支承具は、間隔を空けて対向する一対の壁部を有し、上面を開口した収容体内に配備する書類保存箱用の書類支承具であって、柔軟性を有するネット状又はシート状の支承体と、前記収容体の下部領域の両壁部に沿うように配置される支持部材とを備え、支承体の中間部が垂れ下がるように支持部材が支承体の両端部を支持していることを特徴としている。
【００１１】
この書類保存箱用の書類支承具は、ネット状又はシート状の支承体が収容体内の下部領域に配備され、書類保存箱の一部となって使用される。そして、柔軟性を有している支承体の中間部は、垂れ下がるように湾曲しているが、この支承体の中間部に書類ホルダなどが載せられると、書類ホルダなどの荷重が支承体の中間部に加えられるため、支承体は、側面視がＶ字状となって書類ホルダなどを支承する。
【００１２】
したがって、書類ホルダなどは、下部がカールすることがないため、書類保存箱の底部に沈み込まない。また、書類ホルダなどを収納した書類保存箱は、重心が下部に下がるため、安定した状態に起立する。そして、書類ホルダなどが書類保存箱内から取り出されると、支承体は、柔軟性を有していることから、元の垂れ下がった湾曲した状態に戻る。
【００１３】
ここで、本発明に係る書類保存箱用の書類支承具の一態様として、前記支承体の一方の端部が他方の端部よりも低い位置で支持されている構成を採用することができる。
【００１４】
この書類保存箱用の書類支承具によれば、支承体の一方の端部と他方の端部とに高低差が設けられることにより、曲がった支承体の中間部は、低く支持された端部よりも高く指示された端部の方が急勾配となる。したがって、書類保存箱内に複数冊の書類ホルダなどを収納したときに、急勾配の支承体に支承された書類ホルダなどは、上下に位置ずれし、書類ホルダなどを取り出しやすくなる。
【００１５】
また、本発明に係る書類保存箱用の書類支承具の他態様として、前記支承体の一方の端部と他方の端部とが同じ高さで支持されている構成を採用することができる。
【００１６】
この書類保存箱用の書類支承具によれば、支承体の両方の端部が同じ高さに支持されることにより、支承体の垂れ下がった中間部から一方の端部の方にも他方の端部の方にも同じ勾配が付けられる。したがって、書類保存箱内に複数冊の書類ホルダなどが収納されたときに、重心が書類保存箱の幅方向の中心にあり、複数冊の書類ホルダなどを収納した書類保存箱のバランスを良好にすることができる。
【００１７】
また、本発明に係る書類保存箱用の書類支承具のさらに異なる他態様として、前記支承体は、前記収容体の壁部と平行になる方向の複数本の横筋と、壁部に交差する方向の複数本の縦筋とによってネット状に形成されている構成を採用することができる。
【００１８】
この書類保存箱用の書類支承具によれば、支承体は、複数本の横筋と複数本の縦筋とによってネット状に形成されていることにより、柔軟性を高めることができる。
【００１９】
また、本発明に係る書類保存箱用の書類支承具のさらに異なる他態様として、前記支承体は、伸縮性と滑止め性の少なくとも一方をさらに有している構成を採用することができる。
【００２０】
この書類保存箱用ファイル支持具によれば、支承体が柔軟性だけでなく、伸縮性をさらに有していることにより、複数冊の書類ホルダなどの重さや厚さに対応して支承体が変形し、また、滑止め性をさらに有していることにより、書類ホルダなどが１冊でも複数冊でも、支承体は書類ホルダなどの下縁を滑らせることなく支承する。
【００２１】
また、本発明に係る書類保存箱用の書類支承具のさらに異なる他態様として、前記支持部材は、前記収容体の下部領域に配備可能に、上面を開口した容器状又は枠状に形成されている構成を採用することができる。
【００２２】
この書類保存箱用の書類支承具によれば、支持部材が上面を開口した容器状又は枠状に形成されていることにより、支承体は、中間部が垂れ下がった湾曲した状態を維持する。したがって、この書類保存箱用の書類支承具は、収容体内に挿入されるだけで簡便に配備することができる。
【００２３】
また、本発明に係る書類保存箱は、前記いずれかの本発明に係る書類保存箱用の書類支承具が前記収容体内の下部領域に配備されていることを特徴としている。
【００２４】
また、前記と異なる本発明に係る書類保存箱は、前記いずれかの本発明に係る書類保存箱用の書類支承具に備えられた支承体が前記収容体内の下部領域に配備され、支承体の両端部が収容体の両壁部に固定され、該両壁部が前記支持部材を兼用していることを特徴としている。
【００２５】
これらの書類保存箱によれば、本発明に係る書類保存箱用の書類支承具が収容体内にセットされているため、改めて組み立てることなく、直ちに使用することができる。
【発明の効果】
【００２６】
本発明によれば、柔軟性を有する支承体が垂れ下がるように湾曲した状態で、上面を開口した収容体内の下部領域に配備される書類保存箱用の書類支承具及び書類保存箱が提供されることにより、書類保存箱は、書類ホルダなどが沈まないように収納し、そして、重心が下部に下がることから、倒れにくいようにすることができる。
【図面の簡単な説明】
【００２７】
【図１】本発明に係る書類保存箱用の書類支承具及び書類保存箱の一実施形態を示す概略分解斜視図である。
【図２】本発明に係る書類保存箱用の書類支承具及び書類保存箱の他の実施形態を示す概略分解斜視図である。
【図３】本発明に係る書類保存箱用の書類支承具及び書類保存箱の異なる実施形態を示し、（ａ）は書類保存箱用の書類支承具を構成している支承体の各端部に高低差を設けた場合の概略断面側面図、（ｂ）はその支承体の各端部の高さを同じとした場合の概略断面側面図である。
【図４】本発明に係る書類保存箱用の書類支承具及び書類保存箱の一実施形態であって、（ａ）は１冊の書類ホルダを収納した状態を示す概略断面側面図、（ｂ）は複数冊の冊の書類ホルダを収納した状態を示す概略断面側面図である。
【図５】従来のファイルボックス用支持装置を示す一部破断斜視図である。
【発明を実施するための形態】
【００２８】
本発明に係る書類保存箱用の書類支承具及び書類保存箱の実施形態について図１ないし図４を参照しながら説明する。書類保存箱は、既成のファイルボックスのような収容体１００内の下部領域に本実施形態の書類支承具１を配備したものである。
【００２９】
収容体１００は、長方形状の底面部１０１の各外周縁から一対の壁部（以下、「正面部」、「背面部」という。）１０２，１０３と一対の側面部１０４，１０４とを立設し、上面を開口した方形容器状とされている。正面部１０２及び背面部１０３は、Ａ４やＢ５などの所定サイズの書類を挟む書類ホルダＨよりも一回り大きくされており、書類ホルダＨが収容体１００内に自立した姿勢で収納される。
【００３０】
また、書類支承具１は、少なくとも柔軟性を有し、好ましくは、伸縮性及び滑止め性の両方又は一方を有している四角形状（図面では、長方形状）の支承体１０と、この支承体１０の一方の端部（以下、「一方の側縁」という。）１０ａと他方の端部（以下、「他方の側縁」という。）１０ｂをそれぞれ収容体１００の正面部１０２と背面部１０３とに沿わせる支持部材２０とを備えている。
【００３１】
そして、支承体１０は、例えばゴムや樹脂、あるいは各種の繊維などによってネット状に形成されている。ネット状の支承体１０は、収容体１００の正面部１０２及び背面部１０３と平行になる方向の複数本の横筋１１と、側面部１０４，１０４と平行になる方向の複数本の縦筋１２とによって、角目網地状に組まれている。ただし、ネット状の支承体１０は、図示しないが、菱目網地状や亀甲網地状に編んだものとしてもよい。
【００３２】
いずれのネット状の支承体１０も、柔軟性に富んだものとなる。また、角目網地状の支承体１０にあっては、横筋１１が縦筋１２よりもわずかに突出するように組まれることで、滑止め性を向上させることができる。また、菱目網地状や亀甲網地状の支承体１０にあっては、結び目を作ることで、滑止め性を向上させることができる。
【００３３】
そして、支持部材２０は、図１に示すように、支承体１０の四隅を支承する４本の支柱２１と、２本の支柱２１と２本の支柱２１とにそれぞれ架け渡されるバー２２とによって構成される。このような支柱２１は、収容体１００の下部領域に固定される。また、バー２２は、支承体１０の両端部の横筋１１が垂れ下がらないように支持する。また、２本の支柱２１とバー２２とに換え、図示しない板状部材によって、支持部材２０を構成してもよい。バー２２が架け渡されていない一対の支柱２１又は一対の板状部材の間隔は、変更することができるため、種々の幅の収容体１００にも配備することができる。
【００３４】
また、支持部材２０は、図２に示すように、上面を開口した容器状（図面では、方形容器状）としてもよいし、図示しない枠状としてもよい。このような容器状又は枠状の支持部材２３の正面部２３ａと背面部２３ｂとに、支承体１０の一方の側縁１０ａと他方の側縁１０ｂとがステープル、接着剤又は粘着テープなどによって固定される。したがって、支承体１０を方形容器状又は枠状の支持部材２３に固定した書類支承具１は、収容体１００内に嵌め入れるだけで配備することができる。
【００３５】
このように書類支承具１が収容体１００の下部領域に配備されることにより、支承体１０は、図３に示すように（図３及び図４では、支持部材２０を図示していない。）、中間部１０ｃが垂れ下がるように湾曲した状態とされる。
【００３６】
図３（ａ）に示した支承体１０は、支承体１０の一方の側縁１０ａが収容体１００の正面部１０２側で底面部１０１に近寄った位置に支持され、支承体１０の他方の側縁１０ｂが収容体１００の背面部１０３側で底面部１０１から離れた位置に支持されることにより、両側縁１０ａ，１０ｂに高低差が設けられている。したがって、支承体１０の湾曲した中間部１０ｃの奥底は、収容体１００の幅方向の中心を通る中心線よりも正面部１０２側に位置している。そして、支承体１０の背面部１０３側は急勾配となっている。
【００３７】
また、図３（ｂ）に示した支承体１０は、両方の側縁１０ａ，１０ｂが収容体１００の正面部１０２側と背面部１０３側とで同じ高さに支持される。したがって、この支承体１０は、湾曲した中間部１０ｃの奥底が収容体１００の幅方向の中心を通る中心線上に位置している。
【００３８】
図３（ａ）に示すように、高低差を有する支承体１０を配備した書類保存箱に、１冊の書類ホルダＨが入れられると、図４（ａ）に示すように、書類ホルダＨの下縁が支承体１０の中間部１０ｃの奥底において、複数の縦筋１２に架け渡されるように支承される。この支承体１０は、柔軟性を有していることから、側面視がＶ字状に変形する。支承体１０が伸縮性を有していると、伸びるようにも変形する。いずれにしても、書類ホルダＨは、下部がカールすることなく、下縁が支承体１０に食い止められる。したがって、書類ホルダＨは、収容体１００の底面部１０１側に沈むことなく収納される。
【００３９】
また、図３（ａ）に示した書類保存箱に、複数冊の書類ホルダＨが入れられると、図４（ｂ）に示すように（見やすくするため、各書類ホルダＨの間に隙間を空けて図示している。）、支承体１０の中間部１０ｃは書類ホルダＨの厚さの幅となって、各書類ホルダＨの下縁を支承する。複数冊の書類ホルダＨは、下部がカールすることなく、下縁が支承体１０に食い止められる。したがって、書類ホルダＨは、収容体１００の底面部１０１側に沈むことなく収納される。
【００４０】
また、複数冊の書類ホルダＨは、背面部１０３に固定された他方の側縁１０ｂ側を正面部１０２に固定された一方の側縁１０ａよりも急勾配とした支承体１０に支承されることにより、中間部１０ｃから他方の側縁１０ｂ側に段々と高くなるように収納される。したがって、複数冊の書類ホルダＨが重なり合っていても、取り出しやすくなっている。
【００４１】
また、支承体１０は、書類ホルダＨが１冊であっても複数冊であっても、書類保存箱の下部で支承するため、書類保存箱の重心は下部に下がる。したがって、書類ホルダＨを収納した書類保存箱は、倒れにくくなっている。そして、収容体１００内に収納された書類ホルダＨが全て取り出されると、支承体１０は、柔軟性を有していることから、図３（ａ）に示すように、元の樋状に戻る。
【００４２】
また、図３（ｂ）に示すように、高低差のない支承体１０を配備した書類保存箱に、１冊の書類ホルダＨが入れられると、図示しないが、柔軟性を有する支承体１０の中間部１０ｃが書類ホルダＨの下縁を支承し、支承体１０は側面視がＶ字状に変形する。そして、書類ホルダＨは、下縁が支承体１０に食い止められ、下部がカールすることがない。したがって、書類ホルダＨは、収容体１００の底面部１０１側に沈むことなく収納される。
【００４３】
また、図３（ｂ）に示した書類保存箱に、複数冊の書類ホルダＨが入れられると、支承体１０の中間部１０ｃは書類ホルダＨの厚さの幅となって、各書類ホルダＨの下縁を支承する。この支承体１０の両側縁１０ａ，１０ｂは、同じ高さに固定され、中間部１０ｃの奥底が収容体１００の幅方向の中心を通る中心線上に位置しているため、複数冊の書類ホルダＨは、図４（ｂ）に示すように、上下方向に位置ずれしにくい。ただし、複数冊の書類ホルダＨの下縁が支承体１０の中心部分に支承されることで、この書類保存箱は、複数冊の書類ホルダＨをバランスよく収納することができる。
【００４４】
このように、本実施形態における書類支承具１及び書類支承具１を備えた書類保存箱は、書類ホルダＨが１冊であっても、複数冊であっても、何らの調整をすることなく、下部がカールしないように収納し、したがって、書類ホルダＨが沈み込まないようにすることができる。しかも、書類ホルダＨを収納した書類保存箱は、重心が下部にあるため、倒れにくくなっている。
【００４５】
なお、本発明は、前記実施の形態に限定することなく種々変更することができる。例えば、前記支持部材２０は、収容体１００の正面部２２ａと背面部２２ｂが兼ねるようにしてもよい。すなわち、支承体１０の両側縁１０ａ，１０ｂが収容体１００の正面部２２ａと背面部２２ｂにステープル、接着剤あるいは粘着テープなどによって固定されてもよい。この場合、収容体１００の正面部２２ａと背面部２２ｂが支持部材２０を兼用する。
【００４６】
また、支承体１０は、ネット状でなく、少なくとも柔軟性を有し、好ましくは伸縮性及び滑止め性の両方又は一方を有する材質によって四角形のシート状に形成してもよい。シート状の支承体１０は、山部と谷部が正面部１０２側から背面部１０３側へ交互に連続する波板状に形成してもよい。
【００４７】
また、支承体１０は、伸縮性や滑止め性を有していることが好ましいが、少なくとも柔軟性を有していることにより、文書ホルダＨの下縁を支承することができる。また、支承体１０は、長方形状でなく、正方形状としてもよい。
【００４８】
また、収容体１００は、図示したような方形容器状でなく、側面部１０４を円弧状にしたり、正面部１０２の両端の少なくとも上下部と背面部１０３の両端の少なくとも上下部とを複数本のロッドで連結したりしてもよい。また、収容体１００は、底面部１０１を有さない筒状としたり、正面部１０２の両下端と背面部１０３の両下端とを複数本のロッドで連結したりしてもよい。
【００４９】
また、前記実施の形態の書類保存箱は、既成の収容体１００に書類支承具１を後からセットして組み立てられるが、収容体１００を組み立てると同時に書類支承具１をセットした書類保存箱を製造してもよい。
【００５０】
また、前記実施の形態では、書類保存箱に書類ホルダＨを収納する場合について説明したが、各種の書類を収納してもよいことはいうまでもない。
【符号の説明】
【００５１】
１………（書類保存箱用の）書類支承具
１０……支承体
１０ａ…一方の側縁
１０ｂ…他方の側縁
１０ｃ…中間部
１１……横筋
１２……縦筋
２０……支持部材
１００…収容体
１０２…壁部（正面部）
１０３…壁部（背面部）
【図１】
0005563034.tif 000002
【図２】
0005563034.tif 000003
【図３】
0005563034.tif 000004
【図４】
0005563034.tif 000005
【図５】
0005563034.tif 000006